【手続補正書】
【提出日】令和3年10月20日(2021.10.20)
【手続補正１】
【補正対象書類名】特許請求の範囲
【補正対象項目名】全文
【補正方法】変更
【補正の内容】
【特許請求の範囲】
【請求項１】
スロット中のアップリンク送信のための、ユーザ機器（ＵＥ）によって行われるワイヤレス通信の方法であって、
周波数において分散される第１のリソース要素にチャネル状態情報（ＣＳＩ）をマッピングすることと、ここにおいて、前記第１のリソース要素が、アップリンク共有チャネル上で割り振られるリソースのセット中にあり、
前記第１のリソース要素は、前記アップリンク共有チャネルの第１のシンボルを占有し、
前記第１のリソース要素は、適応ステップサイズに少なくとも部分的に基づいて周波数において分散され、
前記適応ステップサイズは、前記ＣＳＩのシンボルの数量が前記第１のシンボルにおけるサブキャリアの数量よりも少ないことに少なくとも部分的に基づいており、
周波数において分散される第２のリソース要素にハイブリッド自動再送要求（ＨＡＲＱ）フィードバックをマッピングすることと、ここにおいて、前記第２のリソース要素が、リソースの前記セット中にあり、
ここにおいて、前記第２のリソース要素が、前記ＨＡＲＱフィードバックのために予約され、前記第１のリソース要素とは異なり、
復調基準信号（ＤＭＲＳ）が前記アップリンク共有チャネルの第２のシンボル中で与えられ、前記第２のリソース要素は、前記第１のシンボルおよび前記第２のシンボルを含まない、前記アップリンク共有チャネルのシンボルのセットを占有し、
前記マッピングに従って、前記アップリンク共有チャネル上で前記ＣＳＩと前記ＨＡＲＱフィードバックとを送信することと
を備える、方法。
【請求項２】
位相追跡基準信号を備える１つまたは複数のリソース要素が、前記第１のリソース要素から除外される、請求項１に記載の方法。
【請求項３】
前記第２のリソース要素が、それぞれのステップサイズに少なくとも部分的に基づいて周波数において分散され、ここにおいて、前記それぞれのステップサイズが、前記ＣＳＩと前記ＨＡＲＱフィードバックとのそれぞれの量に少なくとも部分的に基づく、請求項１に記載の方法。
【請求項４】
前記ＣＳＩをマッピングすることおよび前記ＨＡＲＱフィードバックをマッピングすることが、周波数第１、時間第２の様式で行われる、請求項１に記載の方法。
【請求項５】
前記第２のリソース要素が、前記スロット中で前記ＤＭＲＳに続く、請求項１に記載の方法。
【請求項６】
前記ＨＡＲＱフィードバックが、前記アップリンク共有チャネルのデータシンボルをパンクチャする、請求項１に記載の方法。
【請求項７】
レートマッチングが、前記ＣＳＩと前記ＨＡＲＱフィードバックとのために使用される、請求項１に記載の方法。
【請求項８】
ワイヤレス通信のための装置であって、
周波数において分散される第１のリソース要素にチャネル状態情報（ＣＳＩ）をマッピングするための手段と、ここにおいて、前記第１のリソース要素が、アップリンク共有チャネル上で割り振られるリソースのセット中にあり、
前記第１のリソース要素は、前記アップリンク共有チャネルの第１のシンボルを占有し、
前記第１のリソース要素は、適応ステップサイズに少なくとも部分的に基づいて周波数において分散され、
前記適応ステップサイズは、前記ＣＳＩのシンボルの数量が前記第１のシンボルにおけるサブキャリアの数量よりも少ないことに少なくとも部分的に基づいており、
周波数において分散される第２のリソース要素にハイブリッド自動再送要求（ＨＡＲＱ）フィードバックをマッピングするための手段と、ここにおいて、前記第２のリソース要素が、リソースの前記セット中にあり、
ここにおいて、前記第２のリソース要素が、前記ＨＡＲＱフィードバックのために予約され、前記第１のリソース要素とは異なり、
復調基準信号（ＤＭＲＳ）が前記アップリンク共有チャネルの第２のシンボル中で与えられ、前記第２のリソース要素は、前記第１のシンボルおよび前記第２のシンボルを含まない、前記アップリンク共有チャネルのシンボルのセットを占有し、
前記マッピングに従って、前記アップリンク共有チャネル上で前記ＣＳＩと前記ＨＡＲＱフィードバックとを送信するための手段と
を備える、装置。
【請求項９】
位相追跡基準信号を備える１つまたは複数のリソース要素が、前記第１のリソース要素から除外される、請求項８に記載の装置。
【請求項１０】
前記第２のリソース要素が、それぞれのステップサイズに少なくとも部分的に基づいて周波数において分散され、ここにおいて、前記それぞれのステップサイズが、前記ＣＳＩと前記ＨＡＲＱフィードバックとのそれぞれの量に少なくとも部分的に基づく、請求項８に記載の装置。
【請求項１１】
前記ＣＳＩをマッピングすることおよび前記ＨＡＲＱフィードバックをマッピングすることが、周波数第１、時間第２の様式で行われる、請求項８に記載の装置。
【請求項１２】
前記第２のリソース要素が、前記アップリンク共有チャネルの基準信号の後にマッピングされ、または前記ＨＡＲＱフィードバックが、前記アップリンク共有チャネルのデータシンボルをパンクチャし、またはレートマッチングが、前記ＣＳＩと前記ＨＡＲＱフィードバックとのために使用される、請求項８に記載の装置。
【請求項１３】
ユーザ機器（ＵＥ）によるワイヤレス通信のための１つまたは複数の命令を記憶する非一時的コンピュータ可読媒体であって、前記１つまたは複数の命令は、前記ＵＥのプロセッサによって実行されたとき、前記プロセッサに、請求項１〜７のいずれか一項に記載の方法を行わせる、非一時的コンピュータ可読媒体。
【手続補正２】
【補正対象書類名】明細書
【補正対象項目名】０１２０
【補正方法】変更
【補正の内容】
【０１２０】
[00118]  本明細書で使用されるいかなる要素、行為、または命令も、明示的にそのように説明されない限り、重要または必須と解釈されるべきではない。また、本明細書で使用される冠詞「ａ（１つの）」および「ａｎ（１つの）」は、１つまたは複数の項目を含むものであり、「１つまたは複数」と互換的に使用され得る。さらに、本明細書で使用される「セット」および「グループ」という用語は、１つまたは複数の項目（たとえば、関係する項目、無関係の項目、関係する項目と無関係の項目の組合せなど）を含むものであり、「１つまたは複数」と互換的に使用され得る。１つの項目のみが意図される場合、「１つ（ｏｎｅ）」という用語または同様の言い回しが使用される。また、本明細書で使用される「有する（ｈａｓ）」、「有する（ｈａｖｅ）」、「有する（ｈａｖｉｎｇ）」などの用語は、オープンエンド用語であるものとする。さらに、「に基づく」という句は、別段に明記されていない限り、「に少なくとも部分的に基づく」を意味するものである。
以下に、本願の出願当初の特許請求の範囲に記載された発明を付記する。
［Ｃ１］
スロット中のアップリンク送信のための、ユーザ機器（ＵＥ）によって行われるワイヤレス通信の方法であって、
周波数において分散される第１のリソース要素にチャネル状態情報（ＣＳＩ）をマッピングすることと、ここにおいて、前記第１のリソース要素が、アップリンク共有チャネル上で割り振られるリソースのセット中にある、
周波数において分散される第２のリソース要素にハイブリッド自動再送要求（ＨＡＲＱ）フィードバックをマッピングすることと、ここにおいて、前記第２のリソース要素が、リソースの前記セット中にあり、
ここにおいて、前記第２のリソース要素が、前記ＨＡＲＱフィードバックのために予約され、前記第１のリソース要素とは異なる、
前記マッピングに従って、前記アップリンク共有チャネル上で前記ＣＳＩと前記ＨＡＲＱフィードバックとを送信することと
を備える、方法。
［Ｃ２］
位相追跡基準信号を備える１つまたは複数のリソース要素が、前記第１のリソース要素から除外される、Ｃ１に記載の方法。
［Ｃ３］
前記第１のリソース要素と前記第２のリソース要素とが、それぞれのステップサイズに少なくとも部分的に基づいて周波数において分散され、ここにおいて、前記それぞれのステップサイズが、前記ＣＳＩと前記ＨＡＲＱフィードバックとのそれぞれの量に少なくとも部分的に基づく、Ｃ１に記載の方法。
［Ｃ４］
前記ＣＳＩをマッピングすることおよび前記ＨＡＲＱフィードバックをマッピングすることが、周波数第１、時間第２の様式で行われる、Ｃ１に記載の方法。
［Ｃ５］
前記第１のリソース要素と前記第２のリソース要素とは、前記ＨＡＲＱフィードバックが前記ＣＳＩをパンクチャしないように直交する、Ｃ１に記載の方法。
［Ｃ６］
前記第２のリソース要素が、前記スロット中で復調基準信号（ＤＭＲＳ）に続く、Ｃ１に記載の方法。
［Ｃ７］
前記ＨＡＲＱフィードバックが、前記アップリンク共有チャネルのデータシンボルをパンクチャする、Ｃ１に記載の方法。
［Ｃ８］
レートマッチングが、前記ＣＳＩと前記ＨＡＲＱフィードバックとのために使用される、Ｃ１に記載の方法。
［Ｃ９］
ワイヤレス通信のためのユーザ機器（ＵＥ）であって、
メモリと、
前記メモリに結合された１つまたは複数のプロセッサと
を備え、前記メモリおよび前記１つまたは複数のプロセッサは、
周波数において分散される第１のリソース要素にチャネル状態情報（ＣＳＩ）をマッピングすることと、ここにおいて、前記第１のリソース要素が、アップリンク共有チャネル上で割り振られるリソースのセット中にある、
周波数において分散される第２のリソース要素にハイブリッド自動再送要求（ＨＡＲＱ）フィードバックをマッピングすることと、ここにおいて、前記第２のリソース要素が、リソースの前記セット中にあり、
ここにおいて、前記第２のリソース要素が、前記ＨＡＲＱフィードバックのために予約され、前記第１のリソース要素とは異なる、
前記マッピングに従って、前記アップリンク共有チャネル上で前記ＣＳＩと前記ＨＡＲＱフィードバックとを送信することと
を行うように構成された、ユーザ機器（ＵＥ）。
［Ｃ１０］
位相追跡基準信号を備える１つまたは複数のリソース要素が、前記第１のリソース要素から除外される、Ｃ９に記載のＵＥ。
［Ｃ１１］
前記第１のリソース要素と前記第２のリソース要素とが、それぞれのステップサイズに少なくとも部分的に基づいて周波数において分散され、ここにおいて、前記それぞれのステップサイズが、前記ＣＳＩと前記ＨＡＲＱフィードバックとのそれぞれの量に少なくとも部分的に基づく、Ｃ９に記載のＵＥ。
［Ｃ１２］
前記ＣＳＩをマッピングすることおよび前記ＨＡＲＱフィードバックをマッピングすることが、周波数第１、時間第２の様式で行われる、Ｃ９に記載のＵＥ。
［Ｃ１３］
前記第１のリソース要素と前記第２のリソース要素とは、前記ＨＡＲＱフィードバックが前記ＣＳＩをパンクチャしないように直交する、Ｃ９に記載のＵＥ。
［Ｃ１４］
前記第２のリソース要素が、前記アップリンク共有チャネルの基準信号の後にマッピングされる、Ｃ９に記載のＵＥ。
［Ｃ１５］
前記ＨＡＲＱフィードバックが、前記アップリンク共有チャネルのデータシンボルをパンクチャする、Ｃ９に記載のＵＥ。
［Ｃ１６］
レートマッチングが、前記ＣＳＩと前記ＨＡＲＱフィードバックとのために使用される、Ｃ９に記載のＵＥ。
［Ｃ１７］
ワイヤレス通信のためのユーザ機器（ＵＥ）であって、
符号化された通信を生成するためにアップリンク制御情報（ＵＣＩ）とアップリンク共有チャネルとを符号化するためのエンコーダ構成要素と、ここにおいて、前記ＵＣＩが、チャネル状態情報（ＣＳＩ）またはハイブリッド自動再送要求（ＨＡＲＱ）フィードバックのうちの少なくとも１つを含む、
前記符号化された通信をキャリア信号上に変調するための変調器構成要素と、
前記アップリンク共有チャネルのリソース要素に前記ＵＣＩをマッピングするためのＵＣＩマッパ構成要素と、
ここにおいて、前記ＣＳＩが、前記リソース要素のうちの第１のリソース要素にマッピングされ、
ここにおいて、前記ＨＡＲＱフィードバックが、前記リソース要素のうちの第２のリソース要素にマッピングされ、
ここにおいて、前記第２のリソース要素が、前記ＨＡＲＱフィードバックのために予約され、前記第１のリソース要素とは異なる、
前記アップリンク共有チャネルの離散フーリエ変換（ＤＦＴ）拡散を行うためのＤＦＴ構成要素と、
出力信号のサブバンドに前記ＤＦＴ拡散の出力をマッピングするためのサブバンドマッピング構成要素と、
前記出力信号に対して逆高速フーリエ変換（ＩＦＦＴ）を行うためのＩＦＦＴ構成要素と、
前記出力信号を送信するための送信機構成要素と
を備える、ユーザ機器（ＵＥ）。
［Ｃ１８］
前記第２のリソース要素が、前記アップリンク共有チャネルの基準信号の後にマッピングされる、Ｃ１７に記載のＵＥ。
［Ｃ１９］
前記第１のリソース要素が周波数において分散される、Ｃ１７に記載のＵＥ。
［Ｃ２０］
前記ＨＡＲＱフィードバックが、前記アップリンク共有チャネルのデータシンボルをパンクチャする、Ｃ１７に記載のＵＥ。
［Ｃ２１］
レートマッチングが、前記ＣＳＩと前記ＨＡＲＱフィードバックとのために使用される、Ｃ１７に記載のＵＥ。
［Ｃ２２］
位相追跡基準信号を備える１つまたは複数のリソース要素が、前記第１のリソース要素から除外される、Ｃ１７に記載のＵＥ。
［Ｃ２３］
前記第１のリソース要素と前記第２のリソース要素とが、それぞれのステップサイズに少なくとも部分的に基づいて周波数において分散され、ここにおいて、前記それぞれのステップサイズが、前記ＣＳＩと前記ＨＡＲＱフィードバックとのそれぞれの量に少なくとも部分的に基づく、Ｃ１７に記載のＵＥ。
［Ｃ２４］
前記ＣＳＩをマッピングすることおよび前記ＨＡＲＱフィードバックをマッピングすることが、周波数第１、時間第２の様式で行われる、Ｃ１７に記載のＵＥ。
［Ｃ２５］
前記第１のリソース要素と前記第２のリソース要素とは、前記ＨＡＲＱフィードバックが前記ＣＳＩをパンクチャしないように直交する、Ｃ１７に記載のＵＥ。
［Ｃ２６］
ワイヤレス通信のための装置であって、
周波数において分散される第１のリソース要素にチャネル状態情報（ＣＳＩ）をマッピングするための手段と、ここにおいて、前記第１のリソース要素が、アップリンク共有チャネル上で割り振られるリソースのセット中にある、
周波数において分散される第２のリソース要素にハイブリッド自動再送要求（ＨＡＲＱ）フィードバックをマッピングするための手段と、ここにおいて、前記第２のリソース要素が、リソースの前記セット中にあり、
ここにおいて、前記第２のリソース要素が、前記ＨＡＲＱフィードバックのために予約され、前記第１のリソース要素とは異なる、
前記マッピングに従って、前記アップリンク共有チャネル上で前記ＣＳＩと前記ＨＡＲＱフィードバックとを送信するための手段と
を備える、装置。
［Ｃ２７］
位相追跡基準信号を備える１つまたは複数のリソース要素が、前記第１のリソース要素から除外される、Ｃ２６に記載の装置。
［Ｃ２８］
前記第１のリソース要素と前記第２のリソース要素とが、それぞれのステップサイズに少なくとも部分的に基づいて周波数において分散され、ここにおいて、前記それぞれのステップサイズが、前記ＣＳＩと前記ＨＡＲＱフィードバックとのそれぞれの量に少なくとも部分的に基づく、Ｃ２６に記載の装置。
［Ｃ２９］
前記ＣＳＩをマッピングすることおよび前記ＨＡＲＱフィードバックをマッピングすることが、周波数第１、時間第２の様式で行われる、Ｃ２６に記載の装置。
［Ｃ３０］
前記第１のリソース要素と前記第２のリソース要素とは、前記ＨＡＲＱフィードバックが前記ＣＳＩをパンクチャしないように直交する、Ｃ２６に記載の装置。
［Ｃ３１］
前記第２のリソース要素が、前記アップリンク共有チャネルの基準信号の後にマッピングされる、Ｃ２６に記載の装置。
［Ｃ３２］
前記ＨＡＲＱフィードバックが、前記アップリンク共有チャネルのデータシンボルをパンクチャする、Ｃ２６に記載の装置。
［Ｃ３３］
レートマッチングが、前記ＣＳＩと前記ＨＡＲＱフィードバックとのために使用される、Ｃ２６に記載の装置。
［Ｃ３４］
ワイヤレス通信のための１つまたは複数の命令を記憶する非一時的コンピュータ可読媒体であって、前記１つまたは複数の命令は、
ユーザ機器の１つまたは複数のプロセッサによって実行されたとき、前記ユーザ機器に、
周波数において分散される第１のリソース要素にチャネル状態情報（ＣＳＩ）をマッピングすることと、ここにおいて、前記第１のリソース要素が、アップリンク共有チャネル上で割り振られるリソースのセット中にある、
周波数において分散される第２のリソース要素にハイブリッド自動再送要求（ＨＡＲＱ）フィードバックをマッピングすることと、ここにおいて、前記第２のリソース要素が、リソースの前記セット中にあり、
ここにおいて、前記第２のリソース要素が、前記ＨＡＲＱフィードバックのために予約され、前記第１のリソース要素とは異なる、
前記マッピングに従って、前記アップリンク共有チャネル上で前記ＣＳＩと前記ＨＡＲＱフィードバックとを送信することと
を行わせる、１つまたは複数の命令を備える、非一時的コンピュータ可読媒体。
［Ｃ３５］
位相追跡基準信号を備える１つまたは複数のリソース要素が、前記第１のリソース要素から除外される、Ｃ３４に記載の非一時的コンピュータ可読媒体。
［Ｃ３６］
前記第１のリソース要素と前記第２のリソース要素とが、それぞれのステップサイズに少なくとも部分的に基づいて周波数において分散され、ここにおいて、前記それぞれのステップサイズが、前記ＣＳＩと前記ＨＡＲＱフィードバックとのそれぞれの量に少なくとも部分的に基づく、Ｃ３４に記載の非一時的コンピュータ可読媒体。
［Ｃ３７］
前記ＣＳＩをマッピングすることおよび前記ＨＡＲＱフィードバックをマッピングすることが、周波数第１、時間第２の様式で行われる、Ｃ３４に記載の非一時的コンピュータ可読媒体。
［Ｃ３８］
前記第１のリソース要素と前記第２のリソース要素とは、前記ＨＡＲＱフィードバックが前記ＣＳＩをパンクチャしないように直交する、Ｃ３４に記載の非一時的コンピュータ可読媒体。
［Ｃ３９］
前記第２のリソース要素が、前記アップリンク共有チャネルの基準信号の後にマッピングされる、Ｃ３４に記載の非一時的コンピュータ可読媒体。
［Ｃ４０］
前記ＨＡＲＱフィードバックが、前記アップリンク共有チャネルのデータシンボルをパンクチャする、Ｃ３４に記載の非一時的コンピュータ可読媒体。
［Ｃ４１］
レートマッチングが、前記ＣＳＩと前記ＨＡＲＱフィードバックとのために使用される、Ｃ３４に記載の非一時的コンピュータ可読媒体。